(57)【要約】      （修正有）【課題】染毛を専ら業としない、顧客自身が実際に使うことなく、染毛剤使用後の毛髪の染毛仕上がり状態を簡便に予測し、抱いたイメージ通りの染毛剤を選択する手段を提供することを課題とする。【解決手段】染毛仕上がり状態を簡便に予測し、イメージ通りの染毛剤を選択するために、染毛剤による染毛仕上がりを表す色相と明度のマトリックス上に、おしゃれ染めと白髪染めとを区別して、染毛仕上がり色を配置したマトリックスと、毛を連続染色したサンプルと初回染毛サンプルとを構成とする染毛剤の表示方法及び／又は宣伝媒体に関する。【選択図】図１
2006000479.tif 000002
【特許請求の範囲】
【請求項１】
１）染毛剤による染毛仕上がりを表す色相と明度のマトリックス上に、おしゃれ染めと白髪染めとを区別して、染毛仕上がり色を配置したマトリックスと、２）毛を連続染色したサンプルと初回染毛サンプルとを構成とする染毛剤の表示方法及び／又は宣伝媒体。
【請求項２】
前記色相と明度のマトリックス上に配置した染毛仕上がり色として、該仕上がり色と仕上がり色の名称を表示することを特徴とする、請求項１に記載の表示方法及び／又は宣伝媒体。
【請求項３】
前記色相と明度のマトリックス上に於いて、色相及び／又は明度が複数個配列することを特徴とする、請求項１又は２に記載の表示方法及び／又は宣伝媒体。
【請求項４】
前記毛を連続染色したサンプル及び／又は初回染毛サンプルとして、毛又は人工毛を使うことを特徴とする、請求項１〜３何れか１項に記載の表示方法及び／又は宣伝媒体。
【請求項５】
前記毛を連続染色したサンプル及び／又は初回染毛サンプルとして、画像を使うことを特徴とする、請求項１〜４何れか１項に記載の表示方法及び／又は宣伝媒体。
【請求項６】
連続染色したサンプルとして、毛又は人工毛を用い、初回染毛サンプルとして、画像を用いることを特徴することを特徴とする、請求項１〜５何れか１項に記載の表示方法及び／又は宣伝媒体。
【請求項７】
同一の染毛剤で、連続染色したサンプルを初回染毛サンプルの下部に配することを特徴とする、請求項１〜６何れか１項に記載の表示方法及び／又は宣伝媒体。
【請求項８】
前記１）色相と明度のマトリックスと前記２）連続染色したサンプルと初回染毛サンプルとを横に並べて配したことを特徴とする、請求項１〜７何れか１項に記載の表示方法及び／又は宣伝媒体。
【発明の詳細な説明】
【技術分野】
【０００１】
本発明は、毛髪の染毛剤による仕上がり状態の表示方法及び／又は宣伝媒体に関する。さらに詳しくは、染毛剤を実際に使用することなく、染毛剤使用後の毛髪の染毛仕上がり状態を簡便に、且つ、イメージ通り予測し、染毛剤を選択するための染毛剤の表示方法及び／又は宣伝媒体に関する。
【背景技術】
【０００２】
従来より、ヘアカラーやヘアマニキュアなどの染毛剤を用いて、毛髪を所望の色に染毛する、「おしゃれ染め」や「毛髪のカラーリング」が広く行われている。このおしゃれ染め等は、これまでは美容院等に於いて専門の美容師が行うことが多かった。近年、素人でも手軽に使用できる染毛剤が各種市販されるようになり、化粧品店や薬局等で染毛剤を購入して、家庭に於いて自分で染毛、染髪を行うケースが増えてきている。
【０００３】
このような状況下で、毛髪の新生及び／又は成長に応じて、毛髪全体を均一な色にするために染め直す、或いは異なる色に染め替えるといった需要が生じている。このような染め直し、或いは染め替えの際には、染毛を行っていない本来の毛髪（以下、新生毛）の色とともに、既に染めたことのある毛髪（以下、既染毛）、及び生来明るい毛髪等の色を考慮しなければならない。これは、既染毛部若しくは生来の明るい毛髪に於いては、新生毛部を染めた場合に比較して、明度及び／又は彩度が高い染毛仕上がり状態になってしまい、顧客の所望する染毛仕上がりが十分達成できないためである。言い換えれば、専ら染毛を業としないものが染毛剤の選択に際して、的確にイメージ通りの染毛剤を選択する技術の開発が望まれていたと言える。
【０００４】
そこで、新生毛部と既染毛部若しくは生来の明るい毛髪部とに対しては、異なる染毛剤を使い分けることが一般的に行われている。新生毛部の染毛剤の選択は、従来の色見本を用いて容易に選択できるが、既染毛部若しくは生来の明るい毛髪部に対しては、明度及び／又は彩度が高い染毛仕上がり状態になるという難点があった。このため、美容師や理容師が経験的に対応することが行われているが、顧客自身で、より的確且つ簡便に対応する手段の開発が望まれていた。かかる手段として、染毛前と染毛後の染毛サンプルを掲示する方法（例えば、特許文献１参照）、染毛剤と染色表示を同心回転板に配置する方法（例えば、特許文献２参照）、染毛前と染毛後の染毛色及びその明度値を同時表示する方法（例えば、特許文献３参照）、事前に求めた染毛前後の色情報の関係式によって染毛状態の色を予測する方法（例えば、特許文献４参照）、或いはモニター画面上で染毛後の髪色をシミュレーションする方法（例えば、特許文献５参照）が存するが、大々的な装置が必要、説明者が必要、細かすぎたり大雑把すぎて染毛仕上がりイメージが予測できない等の課題があり、顧客が直感的に理解し顧客自身が簡便に使用し、イメージ通りの染毛剤を選択できるような方法は知られていなかった。
【０００５】
【特許文献１】特開平７−１７１０１８号公報
【特許文献２】特開平８−２２８８３７号公報
【特許文献３】特開２００３−２０４８１９号公報
【特許文献４】特開２００４−１４４５６９号公報
【特許文献５】特許第３４５９４００号公報
【発明の開示】
【発明が解決しようとする課題】
【０００６】
本発明はこの様な状況下為されたものであり、染毛を専ら業としない、顧客自身が実際に使うことなく、染毛剤使用後の毛髪の染毛仕上がり状態を簡便に予測し、抱いたイメージ通りの染毛剤を選択する手段を提供することを課題とする。
【課題を解決するための手段】
【０００７】
この様な状況に鑑みて、本発明者は、染毛仕上がり状態を簡便に予測し、イメージ通りの染毛剤を選択する技術を求めて、鋭意研究努力を重ねた結果、染毛仕上がり色を配置したマトリックスと、毛を連続染色したサンプルと初回染毛サンプルとを構成とする染毛剤の表示によって、染毛剤使用後の毛髪の染毛仕上がり状態を簡便に予測して染毛剤を選択できることを見出し、発明を完成させるに至った。即ち、本発明は以下に示すとおりである。
（１）１）染毛剤による染毛仕上がりを表す色相と明度のマトリックス上に、おしゃれ染めと白髪染めとを区別して、染毛仕上がり色を配置したマトリックスと、２）毛を連続染色したサンプルと初回染毛サンプルとを構成とする染毛剤の表示方法及び／又は宣伝媒体。
（２）前記色相と明度のマトリックス上に配置した染毛仕上がり色として、該仕上がり色と仕上がり色の名称を表示することを特徴とする、（１）に記載の表示方法及び／又は宣伝媒体。
（３）前記色相と明度のマトリックス上に於いて、色相及び／又は明度が複数個配列することを特徴とする、（１）又は（２）に記載の表示方法及び／又は宣伝媒体。
（４）前記毛を連続染色したサンプル及び／又は初回染毛サンプルとして、毛又は人工毛を使うことを特徴とする、（１）〜（３）何れか１項に記載の表示方法及び／又は宣伝媒体。
（５）前記毛を連続染色したサンプル及び／又は初回染毛サンプルとして、画像を使うことを特徴とする、（１）〜（４）何れか１項に記載の表示方法及び／又は宣伝媒体。
（６）連続染色したサンプルとして、毛又は人工毛を用い、初回染毛サンプルとして、画像を用いることを特徴することを特徴とする、（１）〜（５）何れか１項に記載の表示方法及び／又は宣伝媒体。
（７）同一の染毛剤で、連続染色したサンプルを初回染毛サンプルの下部に配することを特徴とする、（１）〜（６）何れか１項に記載の表示方法及び／又は宣伝媒体。
（８）前記１）色相と明度のマトリックスと前記２）連続染色したサンプルと初回染毛サンプルとを横に並べて配したことを特徴とする、（１）〜（７）何れか１項に記載の表示方法及び／又は宣伝媒体。
【発明の効果】
【０００８】
本発明によれば、染毛を専ら業としない、顧客自身が実際に使うことなく、染毛剤使用後の毛髪の染毛仕上がり状態を簡便に予測し、抱いたイメージ通りの染毛剤を選択する手段を提供することができる。
【発明を実施するための最良の形態】
【０００９】
本発明は、染毛仕上がり状態を簡便に予測し、イメージ通りの染毛剤を選択するための染毛剤の表示方法及び／又は宣伝媒体であって、染毛剤による染毛仕上がりを表す色相と明度のマトリックス上に、おしゃれ染めと白髪染めとを区別して、染毛仕上がり色を配置したマトリックスと、毛を連続染色したサンプルと初回染毛サンプルとを構成とすることを特徴とする。以下に、更に詳細に説明を加える。
【００１０】
前記染毛仕上がり状態を簡便に予測は、染毛剤の購入に際しては、さほど時間を掛けずに染毛剤を選択したいに加えて、一度染毛してしまうと容易にやり直すことが困難であることから、顧客にとって非常に重要な判断事項である。加えて、大きな装置や説明者等なしの状況に於いて、顧客自身による購入の判断であり、顧客自身の直感や感性に訴えて、的確且つ迅速に判断できる予測手段であることが不可欠である。かような予測手段として、ヒトに於ける最大の情報処理を担う視覚情報を利用することが好ましく、その中でも色彩及び形状に関する情報は認知されやすいことから、より好ましい。かような色彩や形状に関する情報としては、例えば、２次元パターンであるマトリックス、及び実物のようなイメージが例示できる。
【００１１】
前記染毛仕上がり色を配置したマトリックスは、染毛剤による染毛仕上がりを表す色相と明度によって構成される。前記色相とは、色の三属性の一つで、有彩色の色を他の色と区別するよりどころとなる性質で、赤み・黄み・青みなどの色合いを言い、また、前記明度とは、色の三属性の一つで、色のもつ明るさ暗さの度合いを言う。染毛仕上がり色のマトリックスの色相及び／又は明度を複数個配列することで、顧客自身の所望する、染毛剤使用後の毛髪の染毛仕上がりイメージを直感的且つ容易に予測でき、該イメージを１〜数個に絞り易い。同時に、染毛仕上がり色の名称をマトリックス上に表記することで、１〜数個に絞られたイメージの仕上がり色の染毛剤名称をも確認、認識できる。これは、人間に於ける色認識が相対的なものであり、絶対色配座が認識しにくいことから、色選択の過ちを犯しやすいことを本発明者らは見出しており、体系的な色マトリックスにまとめ上げることにより、色認識を正確に行わせる効果を利用したものである。この様なマトリックスにより、自分の毛髪の色イメージを正確に形成させ、自分の選択すべき染毛剤を正しく認識することができる。
【００１２】
前記初回染毛サンプルとは、前記新生毛（染毛を行っていない本来の毛髪）に対して染毛剤で染毛したサンプルをいう。前記毛を連続染色したサンプルとは、前記既染毛（既に染めたことのある毛髪）に対して染毛剤で染毛したサンプルをいう。また、ここでは生来明るい毛髪も染毛仕上がり状態が既染毛と同じであるため、既染毛に同様に扱う。初回染毛として扱うか、連続染毛として扱うかの境界としては、染毛されるべき毛髪の色に於けるマンセル表色系での明度が２より小さいか、２以上であるかによって分けることが好ましい。即ち、マンセル値に於ける明度が２より小さい場合には初回染毛として扱い、２以上である場合には連続染毛として扱うことが好ましい。また、日本ヘアカラー協会から、黒髪をブリーチなどで明度を上げていった時の段階毎の明度と色調を示す１１段階の毛髪レベルスケールが提案されており、これに従ってレベル６以下は初回染毛として扱い、レベル７以上である場合には連続染毛として扱うことも好ましい（Ｍarcel,２００１年３月１日号参照）。ここで、初回染毛と、連続染毛に分けるのは、この違いによって、同じ染毛剤を用いても、その仕上がりに於ける色彩効果が大きな差となるためである。この様な差を考慮しない染毛剤の選択に於いては、処置前に抱いていた仕上がりイメージと実際の仕上がりが異なり、染毛剤に対する満足度を損なうことを本発明者は見出している。
【００１３】
初回染毛サンプル及び毛を連続染色したサンプルの表示方法及び／又宣伝媒体として、人毛、人工毛及び／又は画像が例示できる。前記人毛又は人工毛は、視覚的な本物のイメージに手指からの触感情報が付加され、染毛剤による仕上がりイメージが明確になり、染毛剤の選択の判断をし易くするという好ましい影響を与え易い。人工毛としては、例えばナイロン１００％が例示でき、均一な仕上がりやコスト面から、最も一般的に利用される。初回染毛に於いては、画像情報と、実際の処置後のイメージとが、連続染毛に比して、良く一致しているため、実際の毛髪サンプルに代えて、画像情報を用いることができる。それに比して、連続染毛に於いては、画像情報では表示しきれない、質感などの変化が著しいため、人工毛乃至は人毛のサンプルを提示し、イメージ形成を促すことが好ましい。
【００１４】
前記毛を連続染色したサンプルと初回染毛サンプルとの配置関係は、同一の染毛剤で、一対の対応関係にあれば、特に限定されるものではないが、連続染色したサンプルを初回染毛サンプルの下部に配することがより好ましい。これは、近年おしゃれ染めを行う人が多く、かような人を対象とした連続染色したサンプルを、仕上がりイメージの明確な人工毛を使用して媒体下部に添付することによって、インパクトの高い表示ができるためである。加えて、連続染毛であっても、毛髪の毛根付近部は初回染毛に近い状態であるので、上下に並べることにより、染毛剤で処置した場合の毛髪の全体的なイメージを確かめることもできる。
【００１５】
前記１）色相と明度のマトリックスと前記２）連続染色したサンプルと初回染毛サンプルとの配置関係は、特に限定されるものではないが、マトリックスとサンプルを横に並べて配することがより好ましい。これは、人の視覚の網膜特性によるもので、上下よりも左右の視野が広いため、左右に配置した方が媒体を容易に把握し、認識しやすいことによる。
【００１６】
前記１）色相と明度のマトリックスと前記２）連続染色したサンプルと初回染毛サンプルとの表示方法及び／又は宣伝媒体の形状及び／又は材質は、特に制限を受けるものではないが、顧客自身が容易に使用する上で、形状として脚を設けたり、或いはＴ字形構造を採ること、また、材質として、髪、厚紙、プラスティック板、ビニル板、或いはアクリル板等が、好ましく例示できる。又、ＣＲＴ上への提示も本発明の技術範囲に属する。本発明に言う、表示方法とはこの様なＣＲＴ上などへの表示を意味する。
【００１７】
以下に、実施例を挙げて、本発明について更に詳細に説明を加えるが、本発明が、これら実施例にのみ限定されないことは言うまでもない。
【実施例１】
【００１８】
本発明の表示方法及び宣伝媒体の１例を図１に示す。図１のように、色相と明度のマトリックスを左側に、連続染色したサンプルと初回染毛サンプルの仕上がりイメージを右側と、横に並べて配置している。マトリックスの縦方向の明度は、明度レベルで順に８段階に分け、明るい方におしゃれ染め、暗い方に白髪染めを配置する。マトリックスの横方向の色相は、色相に応じて茶〜ピンクの４段階に分ける。明度と色相のマトリックス上に配置した染毛剤による染毛仕上がり色として、該仕上がり色と仕上がり色の名称を表示する。かように配置することで、顧客自身の所望する染毛剤使用後の毛髪の染毛仕上がりイメージを直感的且つ容易に予測でき、該イメージを１〜数個に絞り、上がり色の染毛剤の名称も確認できる。
【００１９】
図１の右側の仕上がりイメージに於いては、同一の染毛剤に対応して、上段に染毛剤の仕上がりの色と仕上がり色の名称、中段に初回染毛サンプルの画像を、下段には連続染色したサンプルでナイロン製の人工毛を、それぞれ配置している。かように配置することで、明度と色相のマトリックス上に於いて、予測し絞られた、顧客自身が所望する染毛仕上がりイメージについて、初回染毛サンプルの画像或いは連続染毛のナイロン製人工毛で十分に確認でき、毛髪料の選択の判断が容易且つ的確になる。
【実施例２】
【００２０】
＜試験例１＞
３６名の女性被験者を対象に、本発明の表示方法及び宣伝媒体の広告効果を評価した。本発明の比較対照として、本発明に記載したマトリックス（色相と明度のマトリックス表示のみ）とサンプル（連続染色したサンプルと初回染毛サンプルの仕上がりイメージ表）を用いた。広告効果の評価項目として、媒体の印象（表示媒体を見たときの印象）、イメージ想起性（表示媒体を見たときの染毛剤の仕上がりイメージのし易さ）、購買意欲（表示媒体を見て染毛剤を購入してみたくなる意識）、選択予測性（染毛剤使用後に於ける、染毛仕上がり状態の予測しやすさ）、及び選択一致性（選択した染毛剤を使用したとき、予期したイメージの染毛剤を選択できたか）の５項目を設定した。評価方法は、年齢及び染毛の経験度に偏りのないように被験者を１２名ずつの３群に分け、評価対照であるマトリックス、サンプル又は本発明のどれか１つを割り当て、評価させた。評価は５段階で、良い、やや良い、普通、やや悪い及び悪いのアンケート記入方式で、それぞれに評点５，４，３，２，１と数値化後、群別に平均値を計算し、図２のようにレーダーチャートに示した。レーダーチャートの外側ほど高評点で、良好な評価結果を示すが、図２より、５項目の全項目とも、本発明の表示方法及び宣伝媒体が最も良好な評価を得ていることが分かる。特に、選択予測性と選択一致性での評価が高く、本発明によって、顧客自身が染毛剤使用後の染毛仕上がり状態を簡便に予測し、抱いたイメージ通りの染毛剤を選択できていることが分かる。
【実施例３】
【００２１】
実施例１の宣伝媒体のマトリックスとサンプルの配置を逆にしたもの、即ち、マトリックスを右に、サンプルを左に配したものを作成した（図３参照）。図３と、実施例１の１図１について、別途１１名の女性被験者を対象に、実施例１と同様に評価を行った。
【００２２】
評価結果を図４に示す。イメージ想起性、選択予測性、及び選択一致性という認識に関わる項目において、左右の配置を逆にするという位置入替えで差異を示した。これより、配置を逆にした場合には認識形成促進効果が低下することがわかる。マトリックスとサンプルの配置の仕方が本発明では重要であることが分かる。
【実施例４】
【００２３】
＜試験例２＞
無作為に選抜した被験者２５名を用いて、本発明の宣伝媒体による色認識強化効果を試験した。即ち、被験者を５人ずつ５群に分け、１群にはキャメルブラウン、ブライトブラウン、ロゼブラウンの３色の染毛剤の１色で染毛した毛髪サンプル（人毛；連続染毛）を５分間提示した後、１０分後にキャメルブラウン染毛サンプル、ブライトブラウン染毛サンプル、ロゼブラウン染毛サンプル（何れも人毛で連続染毛）を並べて提示し、前に提示したサンプルが何れであったかを問うた（コントロール群）。１群は初回のサンプル提示時に、３つの色をプロットした色彩マトリックスも提示して、同様の操作を行った（マトリックス提示群）。１群は初回サンプル提示時に、３つの染毛サンプル（人毛：連続染毛）も提示し、同様の操作を行った（染毛サンプル提示群）。１群は、初回のサンプルの提示時に実施例１の宣伝媒体も提示し、同様の操作を行った（実施例１提示群）。最後の１群は、初回のサンプルの提示時に実施例３の宣伝媒体も提示し、同様の操作を行った（実施例３提示群）。色の正解例数は、コントロール群が２例、マトリックス提示群が２例、染色サンプル提示群が３例、実施例１提示群が５例、実施例３提示群が４例であった。これより、色の絶対位置の記憶は困難であること、その様な色認識の強化に本発明の宣伝媒体が著効を示すことが判る。この様な効果が、実施例２及び実施例３の良好な評価結果に結びついていると勘案される。
【産業上の利用可能性】
【００２４】
本発明によって、専ら染毛を業としない顧客自身が、実際に使うことなく、染毛剤使用後の毛髪の染毛仕上がり状態を簡便に予測し、迅速且つ的確にイメージ通りの染毛剤を選択する方法を提供できる。
【図面の簡単な説明】
【００２５】
【図１】実施例１の染毛剤の宣伝媒体を示す図である（図面代用写真）。
【図２】実施例２の染毛剤の宣伝媒体の広告効果を示す図である。
【図３】実施例３の染毛剤媒体で、位置入替え例を示す図である（図面代用写真）。
【図４】実施例３の染毛剤の宣伝媒体の広告効果を示す図である。
【図１】
2006000479.tif 000003
【図２】
2006000479.tif 000004
【図３】
2006000479.tif 000005
【図４】
2006000479.tif 000006